(57)【要約】【課題】低コストで信頼性に優れ、光の損失を大幅に低減できるとともに、さらなる狭額縁化が促進され、かつ、光学シートの位置決めを確実に行うことが可能な面状照明装置を提供する。【解決手段】面状照明装置１０は、光源１２と、光源１２に沿って配置された第１側端面１１Ａを有する導光板１１と、導光板１１の少なくともいずれか一方の主面に重ねて配置される光学シートＤＳＳ，ＰＳ１，ＰＳ２，ＲＳと、少なくとも導光板１１の第１側端面１１Ａに交差する両側の第２側端面１１Ｂ，１１Ｃの周辺部を光学シートの一部とともに覆う固定テープ１３と、を備え、固定テープ１３が短冊状であって横断面視においてＵ字状に折り曲げて構成され、導光板１１の裏面１１Ｒ側に配置される裏折返し部１３ｂがその光出射面１１Ｓ側に配置される表折返し部１３ａよりも広い幅を有することを特徴とする。【選択図】図１
2017059351.tif 000002
【特許請求の範囲】
【請求項１】
光源と、
前記光源に沿って配置された第１側端面を有する導光板と、
前記導光板の少なくともいずれか一方の主面に重ねて配置される光学シートと、
少なくとも前記導光板の前記第１側端面に交差する両側の第２側端面の周辺部を前記光学シートの一部とともに覆う固定テープと、を備え、
前記固定テープが短冊状であって横断面視においてＵ字状に折り曲げて構成され、前記導光板の裏面側に配置される裏折返し部が光出射面側に配置される表折返し部よりも広い幅を有することを特徴とする面状照明装置。
【請求項２】
前記固定テープが、前記導光板の前記第１側端面の周辺部及び前記第１側端面の反対側の第３側端面の周辺部を、前記光学シートの一部とともに更に覆うことを特徴とする請求項１に記載の面状照明装置。
【請求項３】
前記固定テープが前記第１側端面、前記両側の第２側端面及び前記第３側端面の各周辺部を一体的に覆うように構成されていることを特徴とする請求項２に記載の面状照明装置。
【請求項４】
前記固定テープが四隅において面取りされており、Ｕ字状に折り曲げられたとき、隣接する他の固定テープの四隅と重ならないように構成されていることを特徴とする請求項２又は３に記載の面状照明装置。
【請求項５】
前方辺側において前記導光板のいずれか一方の主面に配置され、前記光源が実装された回路基板と、
前記回路基板の後方辺から延在する引出し部と、を更に備え、
前記固定テープが、前記回路基板の前記引出し部に対応する位置において、切欠きを有することを特徴とする請求項２から４のいずれか１項に記載の面状照明装置。
【請求項６】
前記導光板の前記第１側端面と前記光源の位置決めを行う補強部材を更に備えることを特徴とする請求項５に記載の面状照明装置。
【請求項７】
前記補強部材が、細長板状の基部と、前記基部の前方面から前方に伸びる複数の枝部とを有する櫛歯状の補強フレームであって、前記複数の枝部が前記光源を挟むように前記回路基板の後方辺側に沿って前記導光板とは別体的に配置される前記補強フレーム、又は前記光源を挟むように前記導光板から前記回路基板の後方辺側に向かって突出する複数の突出部から構成されることを特徴とする請求項６に記載の面状照明装置。
【発明の詳細な説明】
【技術分野】
【０００１】
本発明は、液晶表示装置等の照明手段として用いられる面状照明装置に関する。
【背景技術】
【０００２】
従来、液晶表示基板の光源として、たとえばフレキシブルな面状照明装置が用いられている。このような面状照明装置は、導光板の表面（光出射面）にプリズムシート及び拡散シートを順次重ねて積層させたものをハウジングフレームに収納させ、導光板の裏面に配置させる反射シートを所定の厚さからなる両面テープを用いて該ハウジングフレームに固定させた構成となっている。このように構成された面状照明装置は、それを湾曲させた状態にしても、導光板の裏面に配置された反射シートを安定して保持できる効果を奏する（例えば、特許文献１参照）。
【０００３】
しかし、上述した面状照明装置は、導光板のサイズに応じて、厚さの比較的大きな両面テープを用いる必要があり、汎用品では対応できない事情があることから、作業が煩雑になるとともにコストが嵩むという不都合があった。また、反射シートは、両面テープを介して、導光板等の周囲に配置されるハウジングフレームとの固定がなされる構造から、それらの固定面の面積が小さく、長期信頼性の確保の面で充分でないという不都合があった。さらに、両面テープの厚さが大きくなることによって、導光板から該両面テープを透過して外部に漏れる光の量が多くなり、輝度の低下を招くという不都合があった。
【０００４】
また、今日、パーソナルコンピュータや携帯電話等の電子装置の表示デバイスとして、液晶表示装置が一般的に使用されている。液晶は自発光型の表示素子ではないため、例えば透過型の液晶表示装置では、その液晶パネルに対して光を照射する照明手段が必須であり、外光を利用する半透過型の液晶表示装置でも、暗所での使用を可能にするために補助的な照明手段を備えている。このような液晶表示装置の照明手段としては、導光板と導光板の側方に配置された光源とを主要な構成要素とする面状照明装置が、薄型化が容易であるという利点を有することから、液晶表示装置と組合せて広く使用されている。又、近年の白色発光ダイオード（ＬＥＤ）の高性能化に伴い、面状照明装置のさらなる小型・薄型化及び低消費電力化を図るため、光源として白色ＬＥＤを使用した面状照明装置も一般的となっている。
【０００５】
このようなとき、液晶表示装置は、ＬＥＤを額縁状に囲むように配置されるフレームによって、必要な構成部品が一体に保持され、かつ、必要な強度が確保される構造を有している。液晶表示装置の小型化といった機能性の観点のみならず、デザイン上の観点からも、液晶表示装置に対する狭額縁化は常に要請されている。この狭額縁化を促進するために、フレームの厚みを薄くしていくと、光学シートの位置決め用タブを受け入れるための凹部を確保することが困難となる。そして、光学シートの位置決めが不十分となるおそれがあることから、液晶表示装置の狭額縁化の要請を満たす上での障害となっている（例えば、特許文献２〜４参照）。
【先行技術文献】
【特許文献】
【０００６】
【特許文献１】特開２０１３−８４４６号公報
【特許文献２】特開２０１０−２２４０００号公報
【特許文献３】特開２００９−２６５２３７号公報
【特許文献４】特開２００６−１５４３２０号公報
【発明の概要】
【発明が解決しようとする課題】
【０００７】
本発明は、このような事情に鑑みてなされたものであり、その目的は、低コストで信頼性に優れ、光の損失を大幅に低減できるとともに、さらなる狭額縁化が促進され、かつ、光学シートの位置決めを確実に行うことが可能な面状照明装置を提供することにある。
【課題を解決するための手段】
【０００８】
本発明は、以下の構成によって把握される。
（１）本発明の第１の態様に係る面状照明装置は、光源と、前記光源に沿って配置された第１側端面を有する導光板と、前記導光板の少なくともいずれか一方の主面に重ねて配置される光学シートと、少なくとも前記導光板の前記第１側端面に交差する両側の第２側端面の周辺部を前記光学シートの一部とともに覆う固定テープと、を備え、前記固定テープが短冊状であって横断面視においてＵ字状に折り曲げて構成され、前記導光板の裏面側に配置される裏折返し部が光出射面側に配置される表折返し部よりも広い幅を有することを特徴とする。
【０００９】
（２）上記（１）の構成において、前記固定テープは、前記導光板の前記第１側端面の周辺部及び前記第１側端面の反対側の第３側端面の周辺部を前記光学シートの一部とともに更に覆ってもよい。
【００１０】
（３）上記（２）の構成において、前記固定テープは、前記第１側端面、前記両側の第２側端面及び前記第３側端面の各周辺部を一体的に覆うように構成されてもよい。
【００１１】
（４）上記（２）又は（３）の構成において、前記固定テープは、四隅において面取りされており、Ｕ字状に折り曲げられたとき、隣接する他の固定テープの四隅と重ならないように構成されてもよい。
【００１２】
（５）上記（２）から（４）のいずれか１つの構成において、前方辺側において前記導光板のいずれか一方の主面に配置され、前記光源が実装された回路基板と、前記回路基板の後方辺から延在する引出し部と、を更に備え、前記固定テープは、前記回路基板の前記引出し部に対応する位置において、切欠きを有してもよい。
【００１３】
（６）上記（５）の構成において、前記導光板の前記第１側端面と前記光源の位置決めを行う補強部材を更に備えてもよい。
【００１４】
（７）上記（６）の構成において、前記補強部材が、細長板状の基部と、前記基部の前方面から前方に伸びる複数の枝部と有する櫛歯状の補強フレームであって、前記複数の枝部が前記光源を挟むように前記回路基板の後方辺側に沿って前記導光板とは別体的に配置される前記補強フレーム、又は前記光源を挟むように前記導光板から前記回路基板の後方辺側に向かって突出する複数の突出部から構成されてもよい。
【発明の効果】
【００１５】
本発明の面状照明装置によれば、低コストで信頼性に優れ、光の損失を大幅に低減できるとともに、さらなる狭額縁化が促進され、かつ、光学シートの位置決めを確実に行うことが可能な面状照明装置を提供することができる。
【図面の簡単な説明】
【００１６】
【図１】本発明に係る第１実施形態の面状照明装置の構成図であり、（ａ）は正面図、（ｂ）は（ａ）のｂ−ｂ線における断面図、（ｃ）は（ａ）のｃ−ｃ線における断面図、（ｄ）は裏面図である。
【図２】本発明に係る第２実施形態の面状照明装置の構成図であり、（ａ）は光出射面（表面）側から見た斜視図、（ｂ）は（ａ）の側部Ａの部分拡大図である。
【図３】本発明に係る第２実施形態の面状照明装置の構成図であり、（ａ）は裏面側から見た斜視図、（ｂ）は（ａ）の隅部Ｂの部分拡大図である。
【図４】本発明に係る第２実施形態の面状照明装置の変形例１であって、（ａ）は補強フレームを導光板に配置する前、（ｂ）は配置した後を示す図である。
【図５】本発明に係る第２実施形態の面状照明装置の変形例２であって、一体化された固定テープを示す展開図である。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
【００１８】
（第１実施形態）
まず、第１実施形態の全体構成について、図１を用いて説明する。図１（ａ）ないし（ｄ）は、本発明の面状照明装置１０の構成図であり、（ａ）は正面図、（ｂ）は（ａ）のｂ−ｂ線における断面図、（ｃ）は（ａ）のｃ−ｃ線における断面図、（ｄ）は裏面図である。図１（ａ）ないし（ｄ）に示すように、面状照明装置１０は、まず、たとえば合成樹脂からなる矩形状の導光板１１を有する。
【００１９】
導光板１１の一辺の側端面１１Ａ（以下、第１側端面１１Ａと称する）には、該第１側端面１１Ａに対向して光源１２が配置されている。この光源１２は、導光板１１の該一辺に沿って並設される複数の発光素子（図示せず）から構成されている。第１実施形態では、光源１２からの光は、導光板１１の第１側端面（光入射面）１１Ａから導光板１１内に導かれ、該導光板１１の表裏面を形成する各主面のうち一方の主面（光出射面１１Ｓ）から出射されるようになっている。
【００２０】
導光板１１の光出射面１１Ｓには、拡散シートＤＳ、一対のプリズムシートＰＳ１、ＰＳ２が順次重ねられて配置されている。拡散シートＤＳは、導光板１１からの光を拡散させ、該光出射面１１Ｓの全域にわたって輝度の均一化を図るようになっている。また、一対のプリズムシートＰＳ１、ＰＳ２は、拡散シートＤＳを介した導光板１１からの光にたとえば集光性をもたせるようになっている。また、導光板１１の光出射面１１Ｓと反対側の裏面１１Ｒには反射シートＲＳが重ねられて配置されている。反射シートＲＳは、導光板１１内の光を光出射面１１Ｓ側へ反射させるようになっている。なお、この明細書では、上述した拡散シートＤＳ、プリズムシートＰＳ１、ＰＳ２とともに、反射シートＲＳを光学シートと称する場合がある。
【００２１】
そして、このように拡散シートＤＳ、プリズムシートＰＳ１、ＰＳ２、及び反射シートＲＳが重ねられた導光板１１は、第１側端面１１Ａと交差する両側の第２側端面１１Ｂ、１１Ｃの周辺部を、拡散シートＤＳ、プリズムシートＰＳ１、ＰＳ２、及び反射シートＲＳとともに覆って、固定テープ１３が貼付されている。この場合、固定テープ１３は、図１（ｃ）に示すように、その幅方向の中央部を導光板１１の第２側端面１１Ｂ、１１Ｃに接着させ、幅方向の一端部をプリズムシートＰＳ２の表面に接着させ、幅方向の他端部を反射シートＲＳの表面に接着させることによって、横断面視においてＵ字状に屈曲されて貼付されている。
【００２２】
これにより、導光板１１、拡散シートＤＳ、プリズムシートＰＳ１、ＰＳ２、及び反射シートＲＳは、固定テープ１３によって強固に結合され、その結合は長期的な信頼性を確保できるようになる。このため、導光板１１を、拡散シートＤＳ、プリズムシートＰＳ１、ＰＳ２、及び反射シートＲＳとともに、導光板１１の第２側端面１１Ｂ、１１Ｃの長手方向の中央部が凸（あるいは凹）となるように湾曲させても、導光板１１、拡散シートＤＳ、プリズムシートＰＳ１、ＰＳ２、及び反射シートＲＳの相互の結合を充分に確保できる効果を奏する。
【００２３】
また、固定テープ１３は、図１（ｃ）に示すように、一方の面１３Ｓが白色で他方の面１３Ｂが黒色のテープからなり、導光板１１、拡散シートＤＳ、プリズムシートＰＳ１、ＰＳ２、および反射シートＲＳとの貼付面（前記面１３Ｓ）が白色となるようになっている。このように構成することにより、導光板１１の第２側端面１１Ｂ、１１Ｃから漏れる光を固定テープ１３の白色の面１３Ｓによって反射させ導光板１１内に戻すことができ、面状照明装置１０の輝度を向上させることができるようになる。また、固定テープ１３の外側に黒色のテープが存在することにより、側端面からの光漏れを効果的に抑制することができる。なお、本発明の適用にあっては、固定テープ１３を、必ずしも上述したものとする必要はなく、たとえば両面がそれぞれ黒色のテープであってもよい。
【００２４】
そして、横断面視においてＵ字状の第１固定テープ１５が、導光板１１の光源１２が配置された第１側端面１１Ａの周辺部を、反射シートＲＳとともに覆って配置（貼着）されている。なお、第１固定テープ１５は、拡散シートＤＳおよびプリズムシートＰＳ１、ＰＳ２も併せて覆うように構成してもよい。第１固定テープ１５は、光源１２を内包するように配置され、ハウジングフレームとして機能するようになっている。第１固定テープ１５は、その一部を貫通するフレキシブル配線基板（回路基板）２０を有し、このフレキシブル配線基板２０を介して、光源１２に電源等を供給するようになっている。このようにした場合、第１固定テープ１５の剛性により、フレキシブル配線基板２０と光源１２との電気的接続における断線防止の信頼性を向上させることができる効果を奏する。
【００２５】
さらに、横断面視においてＵ字状の第２固定テープ１６が、導光板１１の第１側端面１１Ａと反対側の第３側端面１１Ｄの周辺部を、拡散シートＤＳ、プリズムシートＰＳ１、ＰＳ２、および反射シートＲＳとともに、覆って配置（貼着）されている。第２固定テープ１６は、第１固定テープ１５とともに、ハウジングフレームとして機能するようになっている。
【００２６】
なお、第１固定テープ１５、第２固定テープ１６は、遮光性を備えるために黒色のものを用いるのが好ましいが、内側において白色であってもよいし、全体が白色であってもよい。このようにした場合、導光板１１の第１側端面１１Ａ、その反対側の第３側端面１１Ｄから漏れる光を反射させ導光板１１内に戻すことができる効果を奏する。また、第１固定テープ１５、第２固定テープ１６は、その厚みを極力小さくし、それらの長手方向に沿って湾曲できるように構成してもよい。面状照明装置１０としてのフレキシビリティを向上させるためである。
【００２７】
そして、第１固定テープ１５と第２固定テープ１６のうち導光板１１の光出射面１１Ｓ側の表面には、それぞれ、第１固定テープ１５と第２固定テープ１６を覆って遮光シート１８Ａ、１８Ｂが形成されている。この遮光シート１８Ａ、１８Ｂは、少なくとも、その外側がたとえば黒色となっている。遮光シート１８Ａ、１８Ｂの内側は、白色あるいは黒色であってもよい。この場合、たとえば遮光シート１８Ａは、第１固定テープ１５よりも導光板１１の中央側に若干張り出して形成されている。これにより、遮光シート１８Ａは、遮光シート１８Ｂ、固定テープ１３とともに、有効発光領域を区画する額縁を構成するようになっている。このような趣旨から、遮光シート１８Ｂにおいても、第２固定テープ１６よりも導光板１１の中央側に若干張り出して形成するように形成してもよいことはもちろんである。それとは逆に、遮光シート１８Ａ，１８Ｂの幅を第１固定テープ１５，第２固定テープ１６の幅よりも小さくしてもよい。また、面状照明装置１０と液晶パネルの隙間からの光漏れを抑制するために、固定テープ１３上にも任意の幅の遮光シートを配置するようにしてもよい。
【００２８】
このように構成した面状照明装置１０によれば、そのサイズや厚さが変わっても、一種の固定テープ１３を用いることができ、その幅や長さを変えるのみで対応することができるので、作業性の向上やコストの低減を図ることができるようになる。また、上述した固定テープ１３を用いることによって、面状照明装置１０を湾曲させても、光学シート（拡散シートＤＳ、プリズムシートＰＳ１、ＰＳ２、および反射シートＲＳ等）を導光板１１の主面に保持させることができ、長期信頼性の確保を充分とすることができるようになる。さらに、上述した固定テープ１３を用いることによって、導光板１１からの漏光の発生を抑制することができるようになる。
【００２９】
（第２実施形態）
次に、第２実施形態について、図２から図４を用いて説明する（適宜、図１を参照）。第２実施形態では、導光板１１の各側端面に、厚みが薄いことに注目して、固定テープ１３、第１固定テープ１５及び第２固定テープ１６を貼着することにより、狭額縁化を図るものである。
【００３０】
固定テープ１３は、図２（ａ）及び（ｂ）に示すように、少なくとも導光板１１の第１側端面１１Ａに交差する両側の第２側端面１１Ｂ，１１Ｃの周辺部を光学シート（拡散シートＤＳ、プリズムシートＰＳ１、ＰＳ２、および反射シートＲＳ等）とともに覆っている。固定テープ１３は、短冊状であって横断面視においてＵ字状に折り曲げて構成され、導光板１１の裏面１１Ｒ側に配置される裏折返し部１３ｂがその光出射面１１Ｓ側に配置される表折返し部１３ａよりも広い幅を有する。これにより、光出射面１１Ｓ側への光出射の遮りを極小化するとともに、ハウジングフレームとしての保持機能を保つことができる。そして、第１固定テープ１５及び第２固定テープ１６は、導光板１１の第１側端面１１Ａの周辺部及び第１側端面１１Ａの反対側の第３側端面１１Ｄの周辺部をそれぞれ光学シートとともに更に覆うことにより、導光板１１の各側端面の全面を覆うこととなる。
【００３１】
第２実施形態では、ハウジングフレームとして用いる固定テープ１３、第１固定テープ１５の貼着面（内面）と導光板１１の側端面との貼りつきを防止するために、図２（ｂ）に示すように、固定テープ１３、第１固定テープ１５の貼着面１３ｃに粘着性のないフィルム（例えば、ＰＥＴ）を貼着している。なお、第２固定テープ１６の貼着面（内面）に粘着性のないフィルム（例えば、ＰＥＴ）を貼着してもよい。
【００３２】
また、固定テープ１３、第１固定テープ１５及び第２固定テープ１６には、各構成要素を一体化することと有効発光領域を区画すること以外に、面状照明装置１０の光出射面１１Ｓ側に搭載される液晶表示パネルを固定する手段としての機能も要求される場合がある。したがって、固定テープ１３、第１固定テープ１５及び第２固定テープ１６として片面（内面）に粘着層（接着層）が形成された片面テープを用いる場合には、液晶表示パネルと対向する面に粘着層を設けることが好ましい。
【００３３】
これに対して、固定テープ１３、第１固定テープ１５及び第２固定テープ１６として両面（内面及び外面）に粘着層が形成された両面テープを用いる場合には、そのまま使用してもよいし、固定テープ１３、第１固定テープ１５及び第２固定テープ１６の外側（導光板１１の側端面と対向する面の外側面）や内側に、粘着性のないフィルムを貼着して他の部材との接着を防ぐようにしてもよい。
【００３４】
導光板１１の各側端面の全面を覆いながらも、固定テープ１３、第１固定テープ１５及び第２固定テープ１６が重なることによる面状照明装置１０の厚みが大きくならないようにする必要がある。図３（ａ）及び（ｂ）に示すように、固定テープ１３、第１固定テープ１５及び第２固定テープ１６の両端部は、その四隅に斜めの面取り１３１が設けられていることが好ましい。
【００３５】
フレキシブル配線基板２０（回路基板）が前方辺側において導光板１１のいずれか一方の主面に配置されており、光源１２としての複数のＬＥＤは、短冊状のフレキシブル配線基板２０の長手方向に沿って実装され、導光板１１の第１側端面（光入射面）１１Ａにそれぞれ対向して配置される。そして、フレキシブル配線基板２０の前方部分（ＬＥＤの発光面よりも前方の部分）は、導光板１１の光出射面１１Ｓ又は裏面１１Ｒ側の第１側端面１１Ａ寄りの部分に固定される。
【００３６】
また、図３（ｂ）に示すように、フレキシブル配線基板２０の後方辺の所定の位置には、外部に配置される回路と接続するための引出し部２０ａが一般に延在するように設けられている。この場合、導光板１１の第１側端面１１Ａ側の辺をＬＥＤやフレキシブル配線基板２０を含めて第１固定テープ１５で覆う際に、フレキシブル配線基板２０の引出し部２０ａと第１固定テープ１５とが干渉することになる。したがって、引出し部２０ａと第１固定テープ１５との干渉を抑制するために、引出し部２０ａに対応する位置において第１固定テープ１５に切欠き１３２を設けるのが好ましい。
【００３７】
（変形例）
変形例１として、導光板１１の第１側端面１１ＡとＬＥＤの位置決めを行い、その安定性を向上させる必要がある場合には、補強部材を配置してもよい。図４には、樹脂や金属で構成された補強フレーム２１１を別体的に形成して補強部材として配置した例を示している。図４（ａ）は補強フレーム２１１を導光板１１に配置する前を、図４（ｂ）は配置した後を示している。なお、補強フレーム２１１を配置した後に、固定テープ１３を貼着することになる。この例では、補強フレーム２１１は、細長板状の基部２１１ａと、基部２１１ａの前方面から前方（導光板１１側）に伸びる複数の枝部２１１ｂとから櫛歯状に構成され、フレキシブル配線基板２０の実装面に固定されている。基部２１１ａは、複数のＬＥＤの後方（導光板１１側とは反対側）に配置され、複数の枝部２１１ｂは、各ＬＥＤを挟むようにその側方にそれぞれ配置されている。なお、隣接するＬＥＤの間隔が狭い場合には、補強フレーム２１１に枝部２１１ｂを設ける必要はない。
【００３８】
さらに、補強部材としては、図示していないが、隣接するＬＥＤ同士の間にＬＥＤを挟むように導光板１１からフレキシブル配線基板２０の後方辺側に向かって突出する突出部を設けることにより、導光板１１と一体的に形成するようにしてもよい。
【００３９】
変形例２として、固定テープ１３、第１固定テープ１５及び第２固定テープ１６は、導光板１１の側端面ごとに個別の固定テープとしてもよいが、図５に示すように、一体化された固定テープを用いてもよい。一体化させることにより、面状照明装置１０を組み立てる際の作業性が向上することが期待できる。図５は、一体化された固定テープの展開図を示しており、内側に表折返し部１３ａ，１５ａ，１６ａが、外側に裏折返し部１３ｂ，１５ｂ，１６ｂが位置している。（  ）で示した（１１Ａ）〜（１１Ｄ）は、固定テープ１３、第１固定テープ１５及び第２固定テープ１６が対応する導光板１１の各側端面の位置を示している。また、一体化された固定テープの四隅には重なり防止のための面取り１３１が設けられている。
【００４０】
変形例３として、固定テープ１３、第１固定テープ１５及び第２固定テープ１６の折り目には、側端面ごとの個別の固定テープであっても、４つの側端面が一体化された固定テープであっても、折り目の部分にミシン目（図５参照）や溝等を設けてもよい。こうすると、折込みの作業性を向上させることができる。
【００４１】
変形例４として、導光板１１の第１側端面１１Ａ、その反対側の第３側端面１１Ｄのそれぞれに貼着した第１固定テープ１５、第２固定テープ１６に替えて、Ｕ字状の樹脂材からなる第１樹脂フレーム、第２樹脂フレームを配置（係合）するように構成してもよい。
【００４２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００４３】
１０…面状照明装置、１１…導光板、１１Ａ…第１側端面（光入射面）、１１Ｂ，１１Ｃ…第２側端面、１１Ｄ…第３側端面、１１Ｓ…光出射面、１１Ｒ…裏面、１２…光源（ＬＥＤ）、１３…固定テープ、１３ａ…表折返し部、１３ｂ…裏折返し部、１３ｃ…貼着面、１３１…面取り、１３２…切欠き、１５…第１固定テープ、１６…第２固定テープ、１８Ａ，１８Ｂ…遮光シート、２０…フレキシブル配線基板（回路基板）、２０ａ…引出し部、２１１…補強フレーム、２１１ａ…基部、２１１ｂ…枝部、ＤＳ…拡散シート、ＰＳ１，ＰＳ２…プリズムシート、ＲＳ…反射シート
【図１】
2017059351.tif 000003
【図２】
2017059351.tif 000004
【図３】
2017059351.tif 000005
【図４】
2017059351.tif 000006
【図５】
2017059351.tif 000007